(57)【要約】    【課題】  インバータ装置の基板間の接続不良を検知する。    【解決手段】  インバータ装置２０をインバータ主回路１１と制御回路基板２１と主回路駆動基板２２とで構成し、この制御回路基板２１にはインバータ主回路１１を形成する逆変換回路のＩＧＢＴそれぞれへのオン・オフ信号に変換するために主回路駆動基板２２に搭載された駆動回路への線路に、プルダウン抵抗としてＲ１１〜Ｒ１５を付加し、前記線路の主回路駆動基板２２側にはプルアップ抵抗としてＲ２１〜Ｒ２３を付加し、制御回路基板２１に搭載されているマイクロコンピュータの端子の状態を入力モードに切り換えて、前記線路の接続部の状態を該マクイロコンピュータに読み込むことにより前記接続部の接続不良を検知する。【選択図】        図１
2007028789.tif 000002
【特許請求の範囲】
【請求項１】
直流電力を所望の周波数・電圧の交流電力に変換して出力するインバータ主回路と、指令値に基づいて前記インバータ主回路の動作をマイクロコンピュータにより制御する制御回路基板と、この制御回路基板からの制御信号を前記インバータ主回路へ伝達する主回路駆動基板とからなるインバータ装置において、
前記制御信号を送出する前記マイクロコンピュータの端子の状態を入力モードに切り換えて、前記制御回路基板と主回路駆動基板との間の接続部の状態を前記マイクロコンピュータにより検知することを特徴とするインバータ装置。
【請求項２】
直流電力を所望の周波数・電圧の交流電力に変換して出力するインバータ主回路と、指令値に基づいて前記インバータ主回路の動作をマイクロコンピュータにより制御する制御回路基板と、この制御回路基板からの制御信号を前記インバータ主回路へ伝達する主回路駆動基板とからなるインバータ装置において、
前記制御信号を送出する前記マイクロコンピュータの端子の状態を入力モードに切り換えて、前記主回路駆動基板の種別を前記マイクロコンピュータにより判別することを特徴とするインバータ装置。
【請求項３】
請求項１または請求項２に記載のインバータ装置において、
前記主回路駆動基板には、前記インバータ主回路が前記交流電力を発生させるための前記制御信号としての駆動信号それぞれを、該インバータ主回路を形成する半導体スイッチング素子それぞれへのオン・オフ信号に変換する駆動回路を備えたことを特徴とするインバータ装置。
【発明の詳細な説明】
【技術分野】
【０００１】
この発明は、直流電力を所望の周波数・電圧の交流電力に変換して出力するインバータ装置に関する。
【背景技術】
【０００２】
図５は、下記特許文献１の回路構成を含む、この種のインバータ装置の従来例を示す回路構成図である。
【０００３】
このインバータ装置１０には商用電源などの交流電源１の交流電圧はダイオードをブリッジ接続してなる整流回路にて整流され、この整流電圧を平滑コンデンサにより平滑して得られた直流電圧を、自己消弧形半導体素子としての、例えば、ＩＧＢＴとダイオードとの逆並列回路をブリッジ接続してなる逆変換回路により所望の周波数・電圧の交流電圧に変換して交流電動機などの負荷２に供給するインバータ主回路１１と、予め設定される設定値，指令値に基づいてインバータ主回路１１が所望の周波数・電圧の前記交流電圧を発生させるための制御・演算動作を搭載されたマイクロコンピュータにより行う制御回路基板１２と、前記マイクロコンピュータから出力されるインバータ主回路１１への制御信号としての駆動信号をインバータ主回路１１の前記ＩＧＢＴそれぞれへのオン・オフ信号に変換して出力する駆動回路などが搭載された主回路駆動基板１３とを備えている。
【特許文献１】特開平１１−４１９４３号公報
【発明の開示】
【発明が解決しようとする課題】
【０００４】
図５に示したインバータ装置１０は、汎用インバータ装置とも称され、その出力容量ランクに基づいて系列化されている。
【０００５】
このとき、制御回路基板１２で行う前記制御・演算動作は前記出力容量ランクにほぼ無関係の共通動作であることから、該制御回路基板１２は共通的に使用できる構成，構造とし、前記出力容量ランクにより回路構成とその構成要素の形格が異なるインバータ主回路１１と上述の制御回路基板１２との間に設置される主回路駆動基板１３は、前記出力容量ランク毎に対応した回路構成にしている。
【０００６】
この場合、インバータ装置１０は共通基板である制御回路基板１２と、出力容量ランク毎に決まる主回路１１および主回路駆動基板１３とを接続して、その出力容量ランクに応じてインバータ装置１０が製作されることになる。
【０００７】
従って、このインバータ装置１０には制御回路基板１２と主回路駆動基板１３との間に接続部が生じ、その結果、この接続部の接続不良や誤接続を招き、該インバータ装置１０が誤動作し、損傷することがあった。
【０００８】
この発明の目的は、上記問題点を解決するインバータ装置を提供することにある。
【課題を解決するための手段】
【０００９】
この第１の発明は、直流電力を所望の周波数・電圧の交流電力に変換して出力するインバータ主回路と、指令値に基づいて前記インバータ主回路の動作をマイクロコンピュータにより制御する制御回路基板と、この制御回路基板からの制御信号を前記インバータ主回路へ伝達する主回路駆動基板とからなるインバータ装置において、
前記制御信号を送出する前記マイクロコンピュータの端子の状態を入力モードに切り換えて、前記制御回路基板と主回路駆動基板との間の接続部の状態を前記マイクロコンピュータにより検知することを特徴とする。
【００１０】
また、第２の発明は前記インバータ装置において、
前記制御信号を送出する前記マイクロコンピュータの端子の状態を入力モードに切り換えて、前記主回路駆動基板の種別を前記マイクロコンピュータにより判別することを特徴とする。
【００１１】
さらに、第３の発明は前記第１または第２の発明のインバータ装置において、
前記主回路駆動基板には、前記インバータ主回路が前記交流電力を発生させるための前記制御信号としての駆動信号それぞれを、該インバータ主回路を形成する半導体スイッチング素子それぞれへのオン・オフ信号に変換する駆動回路を備えたことを特徴とする。
【発明の効果】
【００１２】
この発明は、前記制御回路基板に搭載されたマイクロコンピュータはプログラマブルであることに着目してなされたものであり、例えば、前記インバータ装置が通常の運転状態に入る前に、前記制御信号を送出する前記マイクロコンピュータの端子の状態を入力モードに切り換えて、前記接続部の状態を該マクイロコンピュータに読み込むことにより、この接続部の接続不良や誤接続を容易に検知することができ、その結果、該接続部の接続不良や誤接続などに基づく該インバータ装置の誤動作，損傷を回避することができる。
【発明を実施するための最良の形態】
【００１３】
図１は、この発明の実施の形態を示すインバータ装置の回路構成図であり、この図において、図５に示した従来例構成と同一機能を有するものには同一符号を付している。
【００１４】
すなわち、図１に示したインバータ装置２０には従来の制御回路基板１２と主回路駆動基板１３とに代えて、制御回路基板２１と、主回路駆動基板２２または主回路駆動基板２３のうちのいずれかとを備えている。
【００１５】
図２は、この発明の第１の実施例の回路構成を示し、図１に示した制御回路基板２１と主回路駆動基板２２の部分詳細回路構成図である。
【００１６】
この制御回路基板２１には従来の制御回路基板と同様の制御・演算動作の他に、搭載されているマイクロコンピュータからの制御信号としての駆動信号を、インバータ主回路１１を形成する前記逆変換回路のＩＧＢＴそれぞれへのオン・オフ信号に変換するために主回路駆動基板２２に搭載された駆動回路への線路に、プルダウン抵抗としてＲ１１〜Ｒ１５（１００Ｋオーム程度）が付加され、また、前記線路の主回路駆動基板２２側にはプルアップ抵抗としてＲ２１〜Ｒ２３（４．７Ｋオーム程度）が付加されている。
【００１７】
一方、マイクロコンピュータ内の図示しない記憶手段には、図４に示すような真理値表のデータが記憶されており、マイクロコンピュータの端子Ｐ１〜Ｐ５の状態を入力モードに切り換えて、接続部１，２の状態をマイクロコンピュータに読み込み、この読み込んだ値を前記記憶手段の記憶データと比較し、この比較結果に従って制御回路基板２１と主回路駆動基板２２との接続不良や誤接続あるいは主回路駆動基板の種類を検知する。
【００１８】
具体的には、図１，２に示したインバータ装置２０が、例えば、通常の運転状態に入る前に、前記制御信号を送出する前記マイクロコンピュータの端子（Ｐ１〜Ｐ５）の状態を入力モードに切り換えて、前記線路の状態を該マクイロコンピュータに読み込むことにより、この線路の接続部１に接続不良が存在しているときには前記マイクロコンピュータに読み込んだ値のいずれかが論理Ｌｏｗレベル（図４のケース１，２参照）、あるいは接続部２に誤接続が存在しているときには前記マイクロコンピュータに読み込んだ値のいずれかが論理Ｈｉｇｈレベルとなり（図４のケース３，４参照）、一方、正常なときには（図４のケース６参照）、前記端子Ｐ１〜Ｐ３が論理Ｈｉｇｈレベル、前記端子Ｐ４，Ｐ５が論理Ｌｏｗレベルとなることから、前記接続部の状態を容易に検知することができ、その結果、該接続部の接続不良や誤接続に基づく該インバータ装置２０の誤動作，損傷を回避することができる。
【００１９】
なお、前記接続部の接続不良や誤接続を検知した場合には、図示しない操作パネルの表示部に表示することが行われる。
【００２０】
図３は、この発明の第２の実施例の回路構成を示し、図１に示した制御回路基板２１と主回路駆動基板２３の部分詳細回路構成図である。
【００２１】
この制御回路基板２１には、上述の如く、インバータ主回路１１を形成する前記逆変換回路のＩＧＢＴそれぞれへのオン・オフ信号に変換するために主回路駆動基板２３に搭載された駆動回路への線路に、プルダウン抵抗としてＲ１１〜Ｒ１５（１００Ｋオーム程度）が付加され、また、前記線路の主回路駆動基板２３側ではホトカプラＰＣ１，ＰＣ２と、プルアップ抵抗Ｒ２４，Ｒ２５（４．７Ｋオーム程度）とが付加され、また、前記駆動回路に内蔵するホトカプラの発光ダイオード側の回路それぞれがプルアップ抵抗の機能を兼ねている。
【００２２】
従って、図１，３に示したインバータ装置２０が、例えば、通常の運転状態に入る前に、前記制御信号を送出する前記マイクロコンピュータの端子（Ｐ１〜Ｐ５）の状態を入力モードに切り換えて、前記線路の状態を該マクイロコンピュータに読み込むことにより、この線路の接続部１に接続不良が存在しているときには前記マイクロコンピュータに読み込んだ値のいずれかが論理Ｌｏｗレベル（図４のケース１，２参照）、あるいは接続部２に接続不良が存在しているときには前記マイクロコンピュータに読み込んだ値のいずれかが論理Ｌｏｗレベルとなり（図４のケース３〜５参照）、一方、正常なときには（図４のケース７参照）、前記端子Ｐ１〜Ｐ５の全てが論理Ｈｉｇｈレベルとなることから、前記接続部の状態を容易に検知することができ、その結果、該接続部の接続不良や誤接続に基づく該インバータ装置２０の誤動作，損傷を回避することができる。
【００２３】
上記実施例では、具体例として、図２には、所定の出力容量ランク（出力帯１）の主回路駆動基板２２を制御回路基板２１に接続した場合を示し、図３には、主回路駆動基板２２とは異なる出力容量ランク（出力帯２）の主回路駆動基板２３を接続した場合を示している。従って、出力帯１の場合は接続部１に対応する前記端子Ｐ１〜Ｐ３が論理Ｈｉｇｈレベルとなり、接続部２に対応する前記端子Ｐ４，Ｐ５が論理Ｌｏｗレベルとなったときに、出力帯１の主回路駆動基板２２が正常に接続されていると判別できる（この出力帯１の場合は接続部２がオープン、すなわち、接続部２が接続されていないことが正常となる）。一方、出力帯２の場合は接続部１および接続部２に対応する前記端子Ｐ１〜Ｐ５が論理Ｈｉｇｈレベルになったときに、出力帯２の主回路駆動基板２３が正常に接続されていると判別できる。
【００２４】
このように、出力容量ランクに応じて、接続部の状態を異なるようにしておけば、該接続部の接続不良や誤接続の検知だけでなく、インバータ主回路１１の出力容量ランクの判別も、図４に示すケース６，ケース７での真理値により行うことができる（図４では出力帯１，２と称している）。
【００２５】
また、上述の第１，第２の実施例ではインバータ主回路１１の逆変換回路が前記交流電力を発生させるための前記制御信号としての駆動信号を例にして説明をしたが、例えば、図１，３に示した回路構成において、インバータ主回路１１に備える図示しない放電抵抗、冷却ファンなどの「入り・切り」を行うスイッチへの制御信号をホトカプラＰＣ１，ＰＣ２を介して伝達することが可能である。
【図面の簡単な説明】
【００２６】
【図１】この発明の実施の形態を示すインバータ装置の回路構成図
【図２】この発明の第１の実施例を示すインバータ装置の部分詳細回路構成図
【図３】この発明の第２の実施例を示すインバータ装置の部分詳細回路構成図
【図４】図２，３の動作を説明する真理値表
【図５】従来例を示すインバータ装置の回路構成図
【符号の説明】
【００２７】
１…交流電源、２…負荷、１０，２０…インバータ装置、１１…インバータ主回路、１２，２１…制御回路基板、１３，２２，２３…主回路駆動基板。
【図１】
2007028789.tif 000003
【図２】
2007028789.tif 000004
【図３】
2007028789.tif 000005
【図４】
2007028789.tif 000006
【図５】
2007028789.tif 000007